(57)【要約】【課題】防盗構造の軽量化と防盗効果の向上とを図る。【解決手段】自動販売機の本体機枠１に対して外扉４を左右一側部の上下軸芯周りで揺動開閉自在に枢着する第１ヒンジ手段と、外扉４の内側に配置される商品サンプル棚２を外扉４に対して左右一側部の上下軸芯Ｘ２周りで揺動開閉自在に枢着する第２ヒンジ手段６とが設けられ、本体機枠１と外扉４との左右一側部に、その左右一側部において外扉４を本体機枠１から前方へ離脱移動させる行為が行われたときに前後方向から係合して、本体機枠１に対する外扉４の前方への離脱移動を阻止する第１係合手段８が設けられているとともに、本体機枠１と商品サンプル棚２との左右一側部には、その左右一側部において外扉４を本体機枠１から前方へ離脱移動させる行為が行われたときに前後方向から係合して、本体機枠１に対する外扉４の前方への離脱移動を阻止する第２係合手段９が設けられている。【選択図】　　　　図４
2004094645.tif 000002
【特許請求の範囲】
【請求項１】
自動販売機の本体機枠に対して外扉を左右一側部の上下軸芯周りで揺動開閉自在に枢着する第１ヒンジ手段と、外扉の内側に配置される商品サンプル棚を外扉に対して左右一側部の上下軸芯周りで揺動開閉自在に枢着する第２ヒンジ手段とが設けられている自動販売機であって、
前記本体機枠と外扉との左右一側部に、その左右一側部において外扉を本体機枠から前方へ離脱移動させる行為が行われたときに前後方向から係合して、本体機枠に対する外扉の前方への離脱移動を阻止する第１係合手段が設けられているとともに、
前記本体機枠と商品サンプル棚との左右一側部には、その左右一側部において外扉を本体機枠から前方へ離脱移動させる行為が行われたときに前後方向から係合して、本体機枠に対する外扉の前方への離脱移動を阻止する第２係合手段が設けられている自動販売機。
【請求項２】
前記第２係合手段が、外扉に対する商品サンプル棚の最大開き位置を当接規制する開き位置規制手段に兼用構成されている請求項１記載の自動販売機。
【請求項３】
前記第２係合手段が、商品サンプル棚側に設けられた係合片と、外扉及び商品サンプル棚が閉じ姿勢にあるとき、係止片が左右方向から係合する本体機枠側の係合孔とから構成されているとともに、前記商品サンプル棚が最大開き位置に開き操作されたとき、係止片が外扉側の部材に当接してそれ以上の開き揺動を阻止するように構成されている請求項１又は２記載の自動販売機。
【請求項４】
前記第１係合手段が、本体機枠の補強板に一体化された受止め板部と外扉の補強板に一体化された係合板部とから構成されている請求項１，２叉３記載の自動販売機。
【請求項５】
前記外扉の補強板には、第２ヒンジ手段を構成する一方のヒンジ体が取付けられているとともに、商品サンプル棚側に取付けられる第２ヒンジ手段の他方のヒンジ体には、第２係合手段の係止片が一体形成されている請求項１〜４のいずれか１項に記載の自動販売機。
【請求項６】
前記係止片には、第２ヒンジ手段の両ヒンジ体を枢支連結する枢支軸の抜け出しを阻止する抜止め部が形成されている請求項５記載の自動販売機。
【発明の詳細な説明】
【０００１】
【発明の属する技術分野】
本発明は、自動販売機の本体機枠に対して外扉を左右一側部の上下軸芯周りで揺動開閉自在に枢着する第１ヒンジ手段と、外扉の内側に配置される商品サンプル棚を外扉に対して左右一側部の上下軸芯周りで揺動開閉自在に枢着する第２ヒンジ手段とが設けられている自動販売機に関する。
【０００２】
【従来の技術】
この種の自動販売機では、外扉の左右方向の他側部に、外扉を閉止姿勢でロックする鍵が設けられているものの、本体機枠に対して外扉を揺動開閉自在に枢着する第１ヒンジ手段が破壊されると、鍵側を支点として外扉を押し開くことが可能となり、また、外扉を完全に押し開くに至らずとも、外扉と本体機枠との間の隙間にバールを差し込むなどにより外扉を前方へ折り曲げて隙間を大きく開くことも可能である。
【０００３】
そのため、従来では、防盗対策として、図７に示すように、前記本体機枠１と外扉４との左右一側部に、第１ヒンジ手段が破壊されたり隙間からの操作で外扉４が前方へ折り曲げられるなど外扉４を左右一側部において本体機枠１から前方へ離脱移動させるようとする不法な行為が行われたときに前後方向から係合して、本体機枠１に対する外扉４の前方への離脱移動を阻止する係合手段５０が設けられている。
【０００４】
この係合手段５０は、本体機枠１の外側板５１の内面側に固着される補強板５２のうち、本体機枠１の開口幅方向内方に向って開口する水平断面形状が略コの字状の開口側縁板部５２Ａに、この開口側縁板部５２Ａに沿って直角に３度折曲げ形成され、かつ、その先端側に後方に向って突出する受止め板片５３ａを折曲げ形成してある板金製の受止め部材５３をビス５４で固定するとともに、外扉４の扉板１４のうち、閉止時に受止め部材５３と左右方向で相対向する部位の外面には、外扉４の開閉操作に連れて受止め部材５３の係合溝５５内に左右方向から出入り自在で、かつ、その先端側に前方に向って突出する係止板片５６ａを折曲げ形成してある板金製の係止部材５６をビス５４にて固定することにより構成されている。
【０００５】
また、外扉４の扉板１４のうち、本体機枠１の開口部に対応する部位の内面には、係止部材５６の取付け部を構成する状態で補強板５８が固着されている。
【０００６】
【発明が解決しようとする課題】
従来の防盗対策では、第１ヒンジ手段が破壊されたり隙間からの操作で外扉４が前方へ折り曲げられるなど外扉４を左右一側部において本体機枠１から前方へ離脱移動させる不法行為が行われたとき、本体機枠１の補強板５２に取付けられた板金製の受止め部材５３に対して、外扉４の扉板１４に取付けられた板金製の係止部材５６が前後方向から係合することにより、その不法行為の完遂を阻止して盗犯を防止するものであるが、防盗効果を高める為には、受止め部材５３及び係止部材５６の板厚を大きくする必要があり、防盗構造の重量化を招来し易い。
【０００７】
また、受止め部材５３及び係止部材５６をビス５４で固定しているため、組立て作業性が低下するとともに、部品点数の増加によって製造コストの高騰化を招来し易く、しかも、外扉４の扉板１４に形成されるネジ孔５７から雨水が浸入する可能性があるため、防水処理が必要になる。
【０００８】
本発明は、上述の実状に鑑みて為されたものであって、その主たる課題は、防盗構造の軽量化と防盗効果の向上とを図ることのできる自動販売機を提供する点にある。
【０００９】
【課題を解決するための手段】
本発明の請求項１による特徴構成は、自動販売機の本体機枠に対して外扉を左右一側部の上下軸芯周りで揺動開閉自在に枢着する第１ヒンジ手段と、外扉の内側に配置される商品サンプル棚を外扉に対して左右一側部の上下軸芯周りで揺動開閉自在に枢着する第２ヒンジ手段とが設けられている自動販売機であって、
前記本体機枠と外扉との左右一側部に、その左右一側部において外扉を本体機枠から前方へ離脱移動させる行為が行われたときに前後方向から係合して、本体機枠に対する外扉の前方への離脱移動を阻止する第１係合手段が設けられているとともに、
前記本体機枠と商品サンプル棚との左右一側部には、その左右一側部において外扉を本体機枠から前方へ離脱移動させる行為が行われたときに前後方向から係合して、本体機枠に対する外扉の前方への離脱移動を阻止する第２係合手段が設けられている点にある。
【００１０】
上記特徴構成によれば、第１ヒンジ手段が破壊されたり隙間からの操作で外扉が前方へ折り曲げられるなど外扉を左右一側部において本体機枠から前方へ離脱移動させるようとする行為が行われたとき、この不法な行為の完遂を、本体機枠と外扉との左右一側部に設けた第１係合手段による離脱移動阻止作用と、本体機枠と商品サンプル棚との左右一側部に設けた第２係合手段による離脱移動阻止作用とによって確実に阻止することができるとともに、第１係合手段と第２係合手段との分散化によって個々の構成部品の薄肉化を図ることができる。
【００１１】
従って、前後二箇所での離脱移動阻止作用によって防盗構造の軽量化と防盗効果の向上とを図ることができる。
【００１２】
本発明の請求項２による自動販売機の特徴構成は、前記第２係合手段が、外扉に対する商品サンプル棚の最大開き位置を当接規制する開き位置規制手段に兼用構成されている点にある。
【００１３】
上記特徴構成によれば、防盗対策のための第２係合手段を利用して、外扉に対する商品サンプル棚の最大開き位置を当接規制することができるから、商品サンプル棚を開いたまま外扉を開閉操作した際、商品サンプル棚が本体機枠との間で干渉して破損することを抑制することができるばかりでなく、専用の開き位置規制手段を別途設ける場合に比して製造コストの低廉化と組付作業性の向上とを図ることができる。
【００１４】
本発明の請求項３による自動販売機の特徴構成は、前記第２係合手段が、商品サンプル棚側に設けられた係合片と、外扉及び商品サンプル棚が閉じ姿勢にあるとき、係止片が左右方向から係合する本体機枠側の係合孔とから構成されているとともに、前記商品サンプル棚が最大開き位置に開き操作されたとき、係止片が外扉側の部材に当接してそれ以上の開き揺動を阻止するように構成されている点にある。
【００１５】
上記特徴構成によれば、第１ヒンジ手段が破壊されたり隙間からの操作で外扉が前方へ折り曲げられるなど外扉を左右一側部において本体機枠から前方へ離脱移動させるようとする行為が行われたとき、商品サンプル棚側に設けられた係合片が、本体機枠側の係合孔に対して左右方向から係合しているため、係合片と係合孔の周縁との当接によってその不法な行為の完遂を阻止することができるとともに、この係止片と外扉側の部材との当接によって、外扉に対する商品サンプル棚の最大開き位置を規制することができるから、第２係合手段及び開き位置規制手段の構造の簡素化と製造コストの低廉化とを促進することができる。
【００１６】
本発明の請求項４による自動販売機の特徴構成は、前記第１係合手段が、本体機枠の補強板に一体化された受止め板部と外扉の補強板に一体化された係合板部とから構成されている点にある。
【００１７】
上記特徴構成によれば、第１係合手段を構成する一方の受止め板部が本体機枠の補強板に一体化され、他方の係合板部が外扉の補強板に一体化されているから、従来構造に比して部品点数が少なくなり、製造コストの低廉化と組立作業性の向上とを促進することができる。
【００１８】
本発明の請求項５による自動販売機の特徴構成は、前記外扉の補強板に、第２ヒンジ手段を構成する一方のヒンジ体が取付けられているとともに、商品サンプル棚側に取付けられる第２ヒンジ手段の他方のヒンジ体には、第２係合手段の係止片が一体形成されている点にある。
【００１９】
上記特徴構成によれば、外扉を補強するために設けられている補強板が、第２ヒンジ手段の一方のヒンジ体を取付けるための部材に兼用されているとともに、商品サンプル棚側に取付けられる他方のヒンジ体を利用して、第２係合手段の係止片を一体形成することができるから、分品点数の削減によって構造の簡素化と製造コストの低廉化をより促進することができる。
【００２０】
本発明の請求項６による自動販売機の特徴構成は、前記係止片に、第２ヒンジ手段の両ヒンジ体を枢支連結する枢支軸の抜け出しを阻止する抜止め部が形成されている点にある。
【００２１】
上記特徴構成によれば、防盗対策のための第２係合手段の係止片を利用して、第２ヒンジ手段の枢支軸の抜け出しを阻止する抜止め部を形成することができるので、構造の簡素化を図ることができる。
【００２２】
【発明の実施の形態】
〔第１実施形態〕
図１、図２は、タバコ等の商品を販売する自動販売機を示し、商品を積重ね状態で収納する商品収納庫Ｓを備えた本体機枠１の前面側の開口部に、商品サンプル棚２に配置されたサンプル商品を表示するための透明な商品表示窓３を備えた外扉４が、左右方向の一側部に配設される第１ヒンジ手段５を介して第１上下軸芯Ｘ１周りで揺動開閉自在に取付けられているとともに、外扉４の内面側には、多数のサンプル商品を展示するための棚部４Ａ及び照明手段等を備えた商品サンプル棚４が、左右方向の一側部に配設される第２ヒンジ手段６を介して第２上下軸芯Ｘ２周りで揺動開閉自在に取付けられ、更に外扉４の左右方向の他端部には、外扉４を閉止姿勢で本体機枠１にロックする鍵７が設けられている。
【００２３】
そして、図３〜図６に示すように、前記本体機枠１と外扉４との左右一側部に、第１ヒンジ手段５が破壊されたり外扉４と本体機枠１との間の隙間からのバール操作等で外扉４が前方へ折り曲げられるなど外扉４を左右一側部において本体機枠１から前方へ離脱移動させるようとする行為が行われたときに前後方向から係合して、本体機枠１に対する外扉４の前方への離脱移動を阻止する第１係合手段８が設けられているとともに、前記本体機枠１と商品サンプル棚２との左右一側部には、同様に第１ヒンジ手段５が破壊されたり隙間からの操作で外扉４が前方へ折り曲げられるなど外扉４を左右一側部において本体機枠１から前方へ離脱移動させるようとする行為が行われたときに前後方向から係合して、本体機枠１に対する外扉４の前方への離脱移動を阻止する第２係合手段９が設けられ、更に、前記第２係合手段９が、外扉４に対する商品サンプル棚２の最大開き位置を当接規制する開き位置規制手段に兼用構成されている。
【００２４】
前記本体機枠１は、図３、図４に示すように、外箱を構成する板金製（鋼板製）の外側板１０の内面で、かつ、閉止姿勢にある外扉４の一部及び閉止姿勢にある商品サンプル棚２の全体が入り込む開口部相当箇所に、水平断面形状が略ハット形状に折り曲げ形成された板金製（鋼板製）の第１補強板１１を溶接等で固着して構成されている。
【００２５】
前記外扉４を構成する板金製（鋼板製）の扉板１４の左右一側部で、かつ、水平断面視において開口幅方向内方に向かって略Ｌ字状に折り曲げ形成された側板部分１４Ａの内面側には、図３、図４に示すように、これに沿って直角に２度折曲げ形成された板金製（鋼板製）の第２補強板１２が、扉板１４との間に断面矩形状の中空部１３を形成する状態で溶接等にて固着されている。
【００２６】
前記第１ヒンジ手段５は、図１、図２に示すように、本体機枠１の底壁部１Ａの左右一側部に、外扉４の下端部の左右一側部に設けられるボス部５Ａに対して下方から相対回転自在に嵌合する枢支軸５Ｂを取付けるとともに、本体機枠１の天井壁部１Ｂの左右一側部に設けられたブラケット５Ｃに、外扉４の上端部の左右一側部に設けられるボス部５Ｄに対して上方から相対回転自在に嵌合する枢支軸５Ｅを取付けて構成されている。
【００２７】
前記第１係合手段８について説明すると、図３、図４に示すように、本体機枠１の第１補強板１１の前端側に、扉板１４の側板部分１４Ａに向って突出する左右方向の第１受け板部分１５ａと、それの先端から後方に向って直角に折り曲げ形成された前後方向の第２受け板部１５ｂとからなる受止め板部１５を一体形成して、この受止め板部１５と第１補強板１１とで第２ヒンジ手段６側に向って開口する係合溝１６が形成されているとともに、扉板１４の第２補強板１２の後端側には、係合溝１６に対して左右方向から出入り可能な状態で第１補強板１１側に向かって折り曲げ形成された水平断面形状が略への字状の係合板部１７が一体形成されている。
【００２８】
前記第２ヒンジ手段６は、図２、図３に示すように、外扉４と商品サンプル棚４との相対応する部位の上下二箇所に設けられていて、各第２ヒンジ手段６は、ボス部６ａをロール加工してある金属製の一方の第１ヒンジ体６Ａと、ボス部６ｂをロール加工してある金属製の他方の第２ヒンジ体６Ｂと、上下方向に沿って同芯状態で配置される両ヒンジ体６Ａ，６Ｂのボス部６ａ，６ｂに対して下方から挿入装着することにより、両ヒンジ体６Ａ，６Ｂを第２上下軸芯周りで相対揺動自在に連結する金属製の枢支軸６Ｃとから構成されている。
【００２９】
そして、図３に示すように、第２ヒンジ手段６を構成する下方側の第１ヒンジ体６Ａは、外扉４に設けられる第２補強板１２に複数本のビス１８で取付けられているとともに、第２ヒンジ手段６を構成する上方側の第２ヒンジ体６Ｂは、商品サンプル棚２を構成する板金製（鋼板製）の枠体２０のうち、第１補強板１１の前後方向中央部に形成された隆起板部１１Ａに相対向する部位に複数本のビス１８で取付けられている。
【００３０】
前記第２係合手段９は、図３、図４に示すように、商品サンプル棚２側の第２ヒンジ体６Ｂの上端部に、第１補強板１１の隆起板部１１Ａ側に向かって突出する係合片９Ａを折曲げ形成するとともに、第１補強板１１の隆起板部１１Ａには、外扉４及び商品サンプル棚２が閉じ姿勢にあるとき、係止片９Ａが左右方向から係合する矩形状の係合孔９Ｂを形成することにより構成されている。
【００３１】
前記第２係合手段９をもって兼用構成される開き位置規制手段は、図６に示すように、外扉４に対して最大開き操作位置にまで開き操作されたとき、係止片９Ａが外扉４側の部材である係合板部１７に形成された係合凹部１９に係合し、かつ、係止片９Ａが係合板部１７に当接することにより、商品サンプル棚２のそれ以上の開き揺動を阻止するように構成されている。
【００３２】
また、図３、図４に示すように、前記外扉４側の係合板部１７には、両ヒンジ体６Ａ，６Ｂのボス部６ａ，６ｂの下部に近接位置して、ボス部６ａ，６ｂに挿入装着された枢支軸６Ｃの下方への抜け出し移動を阻止する抜止め部２２が打ち出し形成されているとともに、前記係止片９Ａには、両ヒンジ体６Ａ，６Ｂのボス部６ａ，６ｂの上部に近接位置して、ボス部６ａ，６ｂに挿入装着された枢支軸６Ｃの上方への抜け出し移動を阻止する抜止め部２１が一体形成されている。
【００３３】
〔その他の実施形態〕
（１）上述の第１実施形態では、前記第２係合手段９を、商品サンプル棚２側に設けられた係合片９Ａと、外扉４及び商品サンプル棚２が閉じ姿勢にあるとき、係止片９Ａが係合する本体機枠１側の係合孔９Ｂとから構成したが、第１係合手段８のように前後方向から互いに係合する係合部材から構成してもよい。
【００３４】
要するに、機体本体１の左右一側部において外扉４を本体機枠１から前方へ離脱移動させる行為が行われたときに前後方向から係合して、本体機枠１に対する外扉４の前方への離脱移動を阻止することのできるものであれば如何なる構造に構成してもよい。
【００３５】
（２）上述の第１実施形態では、外扉４と商品サンプル棚４との相対応する部位の上下二箇所に設けられた第２ヒンジ手段６の第２ヒンジ体６Ｂの各々に、第２係合手段９の係合片９Ａを設けたが、一方の第２ヒンジ手段６の第２ヒンジ体６Ｂにのみ第２係合手段９の係合片９Ａを設けてもよい。
【００３６】
（３）上述の第１実施形態では、外扉４に対する商品サンプル棚２の最大開き位置を当接規制する開き位置規制手段を構成するに、外扉４に対して最大開き操作位置にまで開き操作されたとき、係止片９Ａが外扉４側の部材である係合板部１７に形成された係合凹部１９に係合するように構成したが、この係止片９Ａを係合板部１７の外面に単に当て付けるように構成してもよい。
【００３７】
（４）上述の第１実施形態では、自動販売機の本体機枠１に対して外扉４を左右一側部の第１上下軸芯Ｘ１周りで揺動開閉自在に枢着する第１ヒンジ手段５の一部、つまり、枢支軸５Ｅを備えたブラケット５Ｃが本体機枠１及び外扉４の上面側に露出する状態で設けたが、この第１ヒンジ手段５の全体を、本体機枠１と外扉４とで囲まれた内部に配置してもよい。
【図面の簡単な説明】
【図１】本願発明の第１実施形態を示す自動販売機全体の斜視図
【図２】自動販売機全体のヒンジ構造の分解斜視図
【図３】要部の拡大分解斜視図
【図４】要部の拡大分解断面図
【図５】外扉を開いたときの全体平面図とそれの要部の拡大断面図
【図６】外扉と商品サンプル棚を共に開いたときの全体平面図とそれの要部の拡大断面図
【図７】従来のヒンジ構造を示す要部の拡大断面図
【符号の説明】
１　　　本体機枠
２　　　商品サンプル棚
４　　　外扉
５　　　第１ヒンジ手段
６　　　第２ヒンジ手段
６Ａ　　ヒンジ体（第１ヒンジ体）
６Ｂ　　ヒンジ体（第２ヒンジ体）
６Ｃ　　枢支軸
８　　　第１係合手段
９　　　第２係合手段
９Ａ　　係止片
９Ｂ　　係合孔
１１　　補強板（第１補強板）
１２　　補強板（第２補強板）
１５　　受止め板部
１７　　係合板部
２１　　抜止め部
Ｘ１　　上下軸芯（第１上下軸芯）
Ｘ２　　上下軸芯（第２上下軸芯）
【図１】
2004094645.tif 000003
【図２】
2004094645.tif 000004
【図３】
2004094645.tif 000005
【図４】
2004094645.tif 000006
【図５】
2004094645.tif 000007
【図６】
2004094645.tif 000008
【図７】
2004094645.tif 000009